(57)【要約】【課題】  デザイン上の制約が少なく、部品形状が簡単で、コストを抑えた過可動防止ストッパが設けられた電気スタンドを提供する。【解決手段】  上アーム２及び下アーム３が備えられ、上アーム２及び下アーム３の端部がアーム支持台５に支持される平行リンクアーム４を有する電気スタンド１であって、過可動防止ストッパ６が、上アーム２と下アーム３との間であり、かつアーム支持台５に設けられている。ここで、上アーム２又は下アーム３と、過可動防止ストッパ６との、接触面７にスリーブ部８が設けられる。【選択図】図１
2006302846.tif 000002
【特許請求の範囲】
【請求項１】
上アーム及び下アームが備えられ、上アーム及び下アームの端部がアーム支持台に支持される平行リンクアームを有する電気スタンドであって、過可動防止ストッパが、上アームと下アームとの間であり、かつアーム支持台に設けられたことを特徴とする電気スタンド。
【請求項２】
上アーム又は下アームと、過可動防止ストッパとの、接触面にスリーブ部が設けられたことを特徴とする請求項１に記載の電気スタンド。
【発明の詳細な説明】
【技術分野】
【０００１】
本発明は、上アーム及び下アームが備えられ、上アーム及び下アームの端部がアーム支持台に支持される平行リンクアームを有する電気スタンドに関するものである。
【背景技術】
【０００２】
従来から、上アーム及び下アームが備えられ、上アーム及び下アームの端部がアーム支持台に支持される平行リンクアームを有する電気スタンドが知られている。これは、灯具と基台を平行リンクアームで接続して灯具の位置を移動可能とするもので、灯具の移動時における平行リンクアームの過可動防止のため、特公平０７−１１８２１３号公報（特許文献１）に記載されているように、ロック金具が設けられていた。
【特許文献１】特公平０７−１１８２１３号公報
【発明の開示】
【発明が解決しようとする課題】
【０００３】
しかしながら、上記構成では、ロック金具が平行リンクアームの外側に設けられていたことから、外観上好ましくないという課題があった。そのため、図５及び図６に示すごとく平行リンクアームのアーム支持台５の一部を曲げ加工した部分を従来の過可動防止ストッパ９１、９２として使用することがなされていたが、この場合、アーム支持台５の外形が大きくなりデザイン上の制約を受ける、上方向と下方向の２方向のそれぞれに従来の過可動防止ストッパ９１、９２を設ける必要があり部品形状の複雑化を招く、従来の過可動防止ストッパ９１、９２の強度確保のため曲げ加工した部分が大きくなりコストアップを招くという可能性があった。
【０００４】
本願発明は、上記背景技術に鑑みてなされたものであり、その課題は、デザイン上の制約が少なく、部品形状が簡単で、コストを抑えた過可動防止ストッパが設けられた電気スタンドを提供することである。
【課題を解決するための手段】
【０００５】
上記課題を解決するために、本願発明は、上アーム及び下アームが備えられ、上アーム及び下アームの端部がアーム支持台に支持される平行リンクアームを有する電気スタンドであって、過可動防止ストッパが、上アームと下アームとの間であり、かつアーム支持台に設けられたことを特徴とする電気スタンドである。
【０００６】
また上アーム又は下アームと、過可動防止ストッパとの、接触面にスリーブ部を設けられる。
【発明の効果】
【０００７】
本願発明によれば、過可動防止ストッパが、上アーム及び下アームの間であり、かつアーム支持台に設けられているので、ストッパが外観上問題となることもなく、かつアーム支持台外形が大きくなることもないのでデザイン上の制約が少なくなる。
【０００８】
また、１つの過可動防止ストッパが上方向と下方向の２方向の可動範囲を規制できるので、部品形状が簡単となる。
【０００９】
さらに、上アーム又は下アームと、過可動防止ストッパとの、接触面に補強用のスリーブ部が設けられるので、アーム支持台の変形が抑止され、その厚みを大きくする必要がなく、コストを抑えることができる。
【発明を実施するための最良の形態】
【００１０】
本願の請求項１及び２に対応した電気スタンド１の一実施形態を図１から図４により説明する。
【００１１】
本実施形態の電気スタンド１は、図１から図４に示す如く、上アーム２及び下アーム３が備えられ、上アーム２及び下アーム３の端部がアーム支持台５に支持される平行リンクアーム４を有する電気スタンド１であって、過可動防止ストッパ６が、上アーム２と下アーム３との間であり、かつアーム支持台５に設けられたことを特徴とする。ここで、上アーム２又は下アーム３と、過可動防止ストッパ６との、接触面７にスリーブ部８が設けられる。
【００１２】
以下、本実施形態による電気スタンド１の構成を、図１から図４に基づいて、より具体的詳細に説明する。
【００１３】
電気スタンド１は、図２に示すごとく、灯体１１と、灯体１１を支持する上アーム２及び下アーム３からなる平行リンクアーム４と、上アーム２及び下アーム３の端部が支持されるアーム支持台５を有する基台１２と、から構成される。
【００１４】
灯体１１は、下面開口した略半円棒状で、先端側は平面視半円状で、上面が先端に向かうにつれて下がる側面で形成されていて、平行リンクアーム４に取り付けられる基端側は、上面が基端に向かうにつれて上がる側面で、形成された筐体を有し、この筐体は、この軸回りに回転して照射方向を可変となるように平行リンクアーム４に取り付けられている。また基台１２は、放電灯点灯回路を収納し、操作スイッチが前面下方に設けられる略直方体であるユニットであり、底部に薄肉平面状の接地板１３を有するものである。
【００１５】
上アーム２は、樹脂製の棒であり、下アーム３は、上アーム２よりも外径が大きい樹脂製の中空の棒である。下アーム３の内部には、基台１２に設けられる放電灯点灯回路と灯体を接続する電線が収納されている。
【００１６】
アーム支持台５は、図１に示すごとく、薄肉板状の鋼板をコの字状に折り曲げ加工したものであり、側面部５１、５２と、背面部５３とを有し、基台１２に取り付けられたときに上アーム２及び下アーム３に臨む側面部５１、５２の角部が面取りされてなるものである。この面取りされた角部の近傍に、上アーム２及び下アーム３が挿入され、端部が回動自在にアーム支持台５に取付されている。
【００１７】
ここで、上アーム２と下アーム３との間に、アーム支持台５の側面５１、５２を貫通して棒状の金属製の過可動防止ストッパ６が、挿入されている。また過可動防止ストッパ６の外周に接するように金属製の薄肉円筒状のスリーブ部８が嵌合されている。
【００１８】
次に、本実施形態による電気スタンド１の動作について、図３及び図４に基づいて、より具体的詳細に説明する。
【００１９】
まず、図３（ａ）に示すごとく、灯体１１を上方を移動して平行リンクアーム４が下から上に回動した場合には、下アーム３の上アーム２に臨む部位がスリーブ部８と接触することで回動動作が停止する。また図３（ｂ）に示すごとく、灯体１１を上方を移動して平行リンクアーム４が上から下に回動した場合には、上アーム２の下アーム３に臨む部位がスリーブ部８と接触することで回動動作が停止する。
【００２０】
ここで、図４（ａ）に示すごとく、スリーブ部８を用いなかった場合には、上アーム２と過可動防止ストッパ６との接触面７に、集中荷重が載荷されることとなる。図示しないが下アーム３と過可動防止ストッパ６との接触面７も同様である。
【００２１】
一方、本実施形態では、図４（ｂ）に示すごとく、スリーブ部８を用いているので、上アーム２と過可動防止ストッパ６との接触面７に、集中荷重よりも分布加重が載荷されることとなる。図示しないが下アーム３と過可動防止ストッパ６との接触面７も同様である。
【００２２】
従って、上記実施形態によれば、過可動防止ストッパ６が、上アーム２及び下アーム３の間であり、かつアーム支持台５に設けられているので、過可動防止ストッパ６が外観上問題となることもなく、かつアーム支持台５の外形が大きくなることもないのでデザイン上の制約が少なくなる。
【００２３】
また、１つの過可動防止ストッパ６が上方向と下方向の２方向の可動を規制できるので、部品形状が簡単となる。
【００２４】
さらに、上アーム２又は下アーム３と、過可動防止ストッパ３との、接触面７に補強用のスリーブ部８が設けられるので、アーム支持台５の変形が抑止され、その厚みを大きくする必要がなく、コストを抑えることができる。
【図面の簡単な説明】
【００２５】
【図１】本願発明の一実施形態におけるアーム支持台の透過斜視図。
【図２】本願発明の一実施形態の斜視図。
【図３】本願発明の一実施形態におけるアーム支持台の側面からの縦断面図、（ａ）はアームの上限まで可動した状態を、（ｂ）はアームの下限まで可動した状態を、それぞれ表す。
【図４】本願発明の一実施形態におけるアーム支持台の正面から縦断面図、（ａ）はスリーブ部がない状態を、（ｂ）はスリーブ部がある状態を、それぞれ表す。
【図５】従来例におけるアーム支持台の透過斜視図。
【図６】従来例におけるアーム支持台の側面からの縦断面図、（ａ）はアームの上限まで可動した状態を、（ｂ）はアームの下限まで可動した状態を、それぞれ表す。
【符号の説明】
【００２６】
１      電気スタンド
２      上アーム
３      下アーム
４      平行リンクアーム
５      アーム支持台
６      過可動防止ストッパ
７      接触面
８      スリーブ部
【図１】
2006302846.tif 000003
【図２】
2006302846.tif 000004
【図３】
2006302846.tif 000005
【図４】
2006302846.tif 000006
【図５】
2006302846.tif 000007
【図６】
2006302846.tif 000008